(57)【要約】      （修正有）【課題】トナー収納用容器のような長尺で衝撃に弱い製品の運搬時や保管時の外部からの各種衝撃を緩和する手段として、該製品の両端部のみを可撓性シートにより押圧保持させることにより保持容器中に浮いた状態で製品を保持する緩衝保持容器を提供する。【解決手段】紙片を折り曲げて長尺の直方体となる緩衝保持容器において、折り曲げ部を介して連続する長尺矩形状の４側片より形成され、側片の内のいずれか一つの両端部に各々折り返し重ね片、可撓性フィルムを取着した支持片及び立ち上げ重ね片を折り曲げ部を介して連続形成した端部片を設け、他の側片の両端部に上記端部片を外側から覆う蓋片を折り曲げ部を介して連続形成してなるトナー収納用容器のための緩衝保持容器。【選択図】図３
0003139765.tif 000002
【実用新案登録請求の範囲】
【請求項１】
紙片を折り曲げて長尺の直方体となる緩衝保持容器において、折り曲げ部を介して連続する長尺矩形状の４側片より形成され、該側片の内のいずれか一つの両端部に各々折り返し重ね片、可撓性フィルムを取着した支持片及び立ち上げ重ね片を折り曲げ部を介して連続形成した端部片を設け、他の側片の両端部に上記端部片を外側から覆う蓋片を折り曲げ部を介して連続形成してなることを特徴とするトナー収納用容器のための緩衝保持容器。
【請求項２】
４側片の内、外側に位置する側片の一方の側縁部に、折り曲げ部を介して糊しろ片を連続形成してなることを特徴とする請求項１記載のトナー収納用容器のための緩衝保持容器。
【請求項３】
端部片の立ち上げ重ね片の外側に、折り曲げ部を介して係止支持片を連続形成してなることを特徴とする請求項１又は２記載のトナー収納用容器のための緩衝保持容器。
【請求項４】
端部片を形成した側片に隣接する他の側片の両端部に、各々蓋片の内側に折り曲げられる補強折り曲げ片を折り曲げ部を介して連続形成してなることを特徴とする請求項１乃至３記載のトナー収納用容器のための緩衝保持容器。
【考案の詳細な説明】
【技術分野】
【０００１】
本考案は、プリンタや複写機等に使用されるトナーを収納した容器を運ぶための容器で、その運搬時或いは保管時における外部からの各種衝撃により該トナー収納用容器からトナー漏れや当該容器の破損等が生じることを防止するための緩衝保持容器に関するものである。
【背景技術】
【０００２】
従来より、衝撃に弱い製品を梱包して運搬する場合や積み重ね保管する際、各種衝撃が製品に伝わらないように弾力性に富んだ緩衝部材を容器と当該製品との間に介在させて当該製品が破損することを防止している。
【０００３】
そのためには、容器と製品との間に該緩衝部材を配設する作業増としての余分な経費並びに該緩衝部材そのものの材料費増等が必要となり、高価なものとなっていた。また、それらの緩衝部材は使用後は不用品として廃棄されることが多く、環境上からも問題があった。
【０００４】
他方、弾力性のある可撓性シート間に製品を挟持させ、外部からの衝撃が該製品に直接伝わることを防止する容器が存在するが、そのためには該製品全体をシートにより包み込む必要があり、可撓性シートの使用量が多く、高価な可撓性シートにより高い保持容器となっていた。
【特許文献１】特許第３３５９００１号公報
【考案の開示】
【考案が解決しようとする課題】
【０００５】
本考案は、上記欠点を解決したもので、トナー収納用容器のような長尺で衝撃に弱い製品の運搬時や保管時における外部からの各種衝撃を緩和する手段として、該製品の両端部のみを可撓性シートにより押圧保持させることにより保持容器内に浮いた状態で該製品を保持することを可能とし、従って、該可撓性シートは容器の端部に使用するだけで衝撃緩和の目的を達成することができ、安価な手段によりトナー収納用容器のような長尺製品を衝撃に対して防護することのできる優れた緩衝保持容器を提供するものである。
【課題を解決するための手段】
【０００６】
本考案は、紙片を折り曲げて長尺の直方体となる緩衝保持容器において、折り曲げ部を介して連続する長尺矩形状の４側片より形成され、該側片の内のいずれか一つの両端部に各々折り返し重ね片、可撓性フィルムを取着した支持片及び立ち上げ重ね片を折り曲げ部を介して連続形成した端部片を設け、他の側片の両端部に上記端部片を外側から覆う蓋片を折り曲げ部を介して連続形成してなるトナー収納用容器のための緩衝保持容器を特徴とする。
【０００７】
また、４側片の内、外側に位置する側片の一方の側縁部に、折り曲げ部を介して糊しろ片を連続形成してなるトナー収納用容器のための緩衝保持容器を特徴とする。
【０００８】
更に、端部片の立ち上げ重ね片の外側に、折り曲げ部を介して係止支持片を連続形成してなるトナー収納用容器のための緩衝保持容器を特徴とする。
【０００９】
また、端部片を形成した側片に隣接する他の側片の両端部に、各々蓋片の内側に折り曲げられる補強折り曲げ片を折り曲げ部を介して連続形成してなるトナー収納用容器のための緩衝保持容器を特徴とする。
【考案の効果】
【００１０】
本考案は、トナー収納容器等の長尺の製品を弾力性を有する可撓性シートによりその両端部からの挟持のみで保持することができ、運搬時或いは保管時における外部からの衝撃を緩和し、トナー漏れ等の収納物の漏れや該容器の破損を防止することができるものである。また、上記可撓性シートを緩衝保持容器の両端部の小さな空間のみの使用だけでトナー収納容器等を浮かせた状態で保持することができ、該可撓性シートの使用量を大幅に減らすことが可能となり、安価で強固な緩衝保持容器を提供することができることとなった。
【００１１】
また、本考案は、紙片の矩形状の側片と端部片及び蓋片等を折り曲げて組み立てるだけで強固な長尺の直方体となる緩衝保持容器とすることができ、トナー収納容器等のような長尺製品の緩衝保持に極めて有効な容器を得ることが可能となった。
【考案を実施するための最良の形態】
【００１２】
以下、図面を参考に本考案を実施するための最良の形態についてその実施例を説明する。
【実施例１】
【００１３】
図１は、本考案のトナー収納用容器（以下、製品という）のための緩衝保持容器１の斜視図を示し、図２は、当該緩衝保持容器１を組み立てる前の展開図を示している。
【００１４】
図１に示すように、緩衝保持容器１は、紙製、特に段ボール紙を所定形状に加工し、その紙片の各部位を折り曲げて組み立て形成したもので、本体となる長尺の矩形状の４側片を同一方向へ折り曲げ、その外側に位置する側片相互を連結し、且つ両端部片を開閉自在とすることにより製品の収納空間を得ることのできる直方体形状の容器としたものである。
【００１５】
紙片をプレス機等により切断及び押圧加工することにより図２の展開図に示す緩衝保持容器１を得ることができる。紙片は、図２の展開図に示すように、矩形状の長尺の第１側片２の長手方向に沿う一方の側縁部には折り曲げ部３を介して糊しろ片４が形成され、他方の側縁部には折り曲げ部５を介して他の側片となる第２側片が形成されている。
【００１６】
上記第１側片２の端縁部には、折り曲げ部６を介して折り返し重ね片７、更に、折り曲げ部８を介して支持片９、折り曲げ部１０を介して立ち上げ重ね片１１及び折り曲げ部１２を介して先端の係止支持片１３と連続形成されている。
【００１７】
また、上記支持片９の図における上下に位置する側縁部には折り曲げ部１４、１５を介して各々折り曲げ重ね片１６、１７が形成されている。更に、支持片９の中央部には周縁部１８を残して矩形形状の開口部１９が形成され、該開口部１９の全体を覆うようにして可撓性フィルム２０が取着固定されている。
【００１８】
可撓性フィルム２０は、弾力性に富み復元力に優れたものが使用され、緩衝保持容器１内に収納される製品Ｗの両端部側から強く押圧することができる材料としている。上記可撓性フィルム２０は、そのまま支持片９の周縁部１８に貼着して固定してもよいが、製品Ｗにより外方へ向けて強く押圧されることになるので、図４の断面図に示すように、可撓性フィルム２０の貼着面側に他の紙片を貼着等により固定することでその支持片９上の可撓性フィルム２０を強固に押圧固定状態とすることができる。
【００１９】
第１側片２の他方の端縁部にも上記と同様、折り曲げ部６´を介して折り返し重ね片７´、更に、折り曲げ部８´を介して支持片９´、折り曲げ部１０´を介して立ち上げ重ね片１１´及び折り曲げ部１２´を介して先端の係止支持片１３´と連続形成されている。
【００２０】
また、上記支持片９´の図における上下に位置する側縁部にも上記同様、折り曲げ部１４´、１５´を介して各々折り曲げ重ね片１６´、１７´が形成されている。更に、支持片９´の中央部には周縁部１８´を残して矩形形状の開口部１９´が形成され、該開口部１９´の全体を覆うようにして可撓性フィルム２０´が取着固定されている。従って、第１側片２の両端部に左右対称の端部片が形成されることになる。なお、端縁部の折り曲げ部６、６´のいずれか一方側には、当該折り曲げ部６、６´を中心とする位置に端部片の開口のための貫通孔Ａを形成している。
【００２１】
上記第１側片２の折り曲げ部５に連続して第２側片２１が設けられ、該第２側片２１の両端縁部には折り曲げ部２２、２２´を介して各々補強折り曲げ片２３、２３´を連続形成している。
【００２２】
上記第２側片２１の他方の長手方向に沿う側縁部には折り曲げ部２４が設けられ、該折り曲げ部２４を介して第３側片２５が設けられている。該第３側片２５の両端縁部には折り曲げ部２６、２６´を介して各々蓋片２７、２７´が連続形成され、更に、折り曲げ部２８、２８´を介して係止支持片２９、２９´が連続形成されている。
【００２３】
上記第３側片２５の他方の長手方向に沿う側縁部には折り曲げ部３０が設けられ、該折り曲げ部３０を介して第４側片３１が設けられ、該第４側片３１の両端縁部には折り曲げ部３２、３２´を介して各々補強折り曲げ片３３、３３´が連続形成されている。
【００２４】
上記構成よりなる製品Ｗの緩衝保持容器１は、第１乃至第４側片２、２１、２５、３１の長手方向に沿う側縁部の折り曲げ部３、５、２４、３０を直角方向に折り曲げ、第１側片２の折り曲げ部３側の糊しろ片４を第４側片３１の側縁部内側に位置させて相互に接着固定することにより側片側の囲いが完成する。
【００２５】
他方、第１側片２の両端縁部の折り曲げ部６、６´を介して折り返し重ね片７、７´をほぼ１８０度方向内側へ折り返し、同時に、支持片９、９´に連続している折り曲げ重ね片１６、１６´、１７、１７´を該支持片９、９´に対して折り曲げ部１４、１４´、１５、１５´より直角方向へ折り曲げ、該支持片９、９´が緩衝保持容器１の側片の両端縁部より内側に位置する箇所で該第１乃至第４側片２、２１、２５、３１に対して垂直方向に位置するように配設する。
【００２６】
立ち上げ重ね片１１、１１´は、折り曲げ部１０、１０´を介して第３側片２５の内側壁に重なるように該支持片９、９´に対して直角方向に折り曲げて立ち上げ固定し、その先端の係止支持片１３、１３´を折り曲げ部１２、１２´を介して内側に折り曲げることにより、図３に示すように、第１乃至第４側片２、２１、２５、３１で形成された空間内の端部側に両端部片を配設することになる。
【００２７】
第１側片２の他方側の側縁部となる折り曲げ部５より直角方向に折り曲げられた第２側片２１の両端縁部の折り曲げ部２２、２２´を介して内側へ折り曲げられる各々の補強折り曲げ片２３、２３´は、前記した第１側片２の端部片の先端部で内側へ折り曲げられた係止支持片１３、１３´の外面と重なるように折り曲げられる。
【００２８】
上記第２側片２１と対向する位置となる第４側片３１も、上記第２側片２１と同様、その両端縁部の折り曲げ部３２、３２´を介して折り曲げられる補強折り曲げ片３３、３３´が、前記した第１側片２の端部片の先端部で内側へ折り曲げられた係止支持片１３、１３´の外面と重なるように折り曲げられる。
【００２９】
上記により、図３、４に示すように、両端部片が第１乃至第４側片で形成された直方体の端部内側に配設されることになる。図５の断面図に示すように、係止支持片１３、１３´を支持する該補強折り曲げ片２３、２３´、３３、３３´により、支持片９、９´に固定された可撓性フィルム２０、２０´に対して製品Ｗにより内側から強い押圧力がかかってもそれら両端部片が移動することなく強固な支持手段となることが可能である。
【００３０】
上記により各々が所定位置に組み立て固定された後、第３側片２５の両端縁部の折り曲げ部２６、２６´を介して直角方向へ折り曲げた蓋片２７、２７´を上記補強折り曲げ片２３、２３´、３３、３３´の上面に重ね、更にその先端の係止支持片２９、２９´を該蓋片２７、２７´に対して直角方向内側へ折り曲げることにより、図４の断面図に示すように、該蓋片２７、２７´が前記した端部片及び補強折り曲げ片２３、２３´、３３、３３´の全体を覆うことが可能となる。
【００３１】
図４は、上記した第１乃至第４側片２、２１、２５、３１を直角方向へ折り曲げ、その両端縁部側となる端部片、補強折り曲げ片２３、２３´、３３、３３´及び蓋片２７、２７´、係止支持片２９、２９´を各々折り曲げて箱状に形成した緩衝保持容器１の斜視図となる図１のＡ−Ａ線の長手方向断面図を示している。
【００３２】
上記のようにして組み立てられた緩衝保持容器１のいずれかの側の開放した端縁部より製品Ｗを挿入し、支持片９、９´間に該製品Ｗを配設する。図５に示すように、製品Ｗの長さより該支持片９、９´の可撓性フィルム２０、２０´間の長さＨを短く形成しているので、該可撓性フィルム２０、２０´は相方とも外方へ強く押されることになるが、その弾力性により製品Ｗは緩衝保持容器１内で浮いた状態で強固に押圧保持されることになる。外部から何等かの衝撃が生じても該可撓性フィルム２０、２０´の弾力性がそれを吸収し、製品Ｗに損傷を与えることなく支持することになる。
【００３３】
上記では製品Ｗをトナー収納用容器として説明したが、それに限定されることなく様々な長尺状の製品を保持することが可能である。
【図面の簡単な説明】
【００３４】
【図１】本考案のトナー収納用容器のための緩衝保持容器の斜視図。
【図２】本考案のトナー収納用容器のための緩衝保持容器の組み立て前の展開図。
【図３】本考案のトナー収納用容器のための緩衝保持容器の端縁部を開口した状態を示す斜視図。
【図４】本考案のトナー収納用容器のための緩衝保持容器の図１に示すＡ−Ａ線断面図。
【図５】本考案のトナー収納用容器のための緩衝保持容器に製品を収納した状態を示す中央部断面図。
【符号の説明】
【００３５】
１                                                  緩衝保持容器
２                                                  第１側片
３、５、６、６´、８、８´、１０、１０´、１２、
１２´、１４、１４´、１５、１５´、２２、２２´、
２４、２６、２６´、２８、２８´、３０、３２、３２´  折り曲げ部
４                                                  糊しろ片
７、７´                                            折り返し重ね片
９、９´                                            支持片
１１、１１´                                          立ち上げ重ね片
１３、１３´、２９、２９´                            係止支持片
１６、１６´、１７、１７´                            折り曲げ重ね片
１８、１８´                                          周縁部
１９、１９´                                          開口部
２０、２０´                                          可撓性フィルム
２１                                                  第２側片
２３、２３´、３３、３３´                            補強折り曲げ片
２５                                                  第３側片
２７、２７´                                          蓋片
３１                                                  第４側片
Ａ                                                    貫通孔
Ｗ                                                    製品
【図１】
0003139765.tif 000003
【図２】
0003139765.tif 000004
【図３】
0003139765.tif 000005
【図４】
0003139765.tif 000006
【図５】
0003139765.tif 000007